(57)【要約】【課題】本発明は接続対象物を挿入するだけで、ワンタッチで安定した接続及び確実なロックができ、接続対象物の抜去時には簡単にロック部材のロックを解除できる構造のコネクタ１０を提供する。【解決手段】本目的は接続対象物に係止部８２を設け、一方端に接続対象物の係止部８２と係合する係合部２０５、２２５と他方端に回動部材１８が作用する押 受部２０６、２２６とを略クランク形状に配置するロック部材２０２、２２を用い、このロック部材２０２、２２をハウジング１２に配置し、押受部２０６、 ２２６に作用する押圧部１８２を有する回動部材１８を接続対象物の挿入側と反対側に配置し、回動部材１８が開いた際に回動部材１８の押圧部１８２がロック 部材２０２、２２の押受部２０６、２２６に作用することによりロック部材２０２、２２の係合部２０５、２２５が接続対象物の係止部８２から外れるようにするによって達成できる。【選択図】  図２
2016171090.tif 000002
【特許請求の範囲】
【請求項１】
接続対象物が着脱自在に挿抜されるコネクタであって、
前記接続対象物と接触する接触部と基板に接続する接続部を有する所要数のコンタクトと、該コンタクトが挿入されるとともに配列・保持される挿入孔と前記 接続対象物が挿入される嵌合口を有するハウジングと、前記ハウジングの嵌合口の反対側に装着される回動部材と、前記ハウジングを覆うシェルと、を備えるコ ネクタにおいて、
前記接続対象物に係止部を設け、
一方端に前記接続対象物の係止部と係合する係合部と他方端に前記回動部材が作用する押受部とを略クランク形状に配置するロック部材を、前記シェルの長手ピッチ方向両側付近に、前記シェルと弾性連結部により一体に形成し、
前記ハウジングには前記ロック部材が入る挿入溝を設け、
前記回動部材には前記押受部に作用する長手方向に連設した細長形状をした押圧部を設け、
前記回動部材が開いた際に前記回動部材の押圧部が前記ロック部材の押受部に作用することにより前記ロック部材の係合部が前記接続対象物の係止部から外れることを特徴とするコネクタ。
【請求項２】
接続対象物が着脱自在に挿抜されるコネクタであって、
前記接続対象物と接触する接触部と基板に接続する接続部を有する所要数のコンタクトと、該コンタクトが挿入されるとともに配列・保持される挿入孔と前記 接続対象物が挿入される嵌合口を有するハウジングと、前記ハウジングの嵌合口の反対側に装着される回動部材と、を備えるコネクタにおいて、
前記接続対象物に係止部を設け、
一方端に前記接続対象物の係止部と係合する係合部と他方端に前記回動部材が作用する押受部とを略クランク形状に配置するロック部材と前記ロック部材の長手ピッチ方向外側に強度を補強する補強片とを弾性連結部により一体に形成し、
前記ハウジングには前記ロック部材が入る挿入溝と前記補強片が入る装着溝を設け、
前記回動部材には前記押受部に作用する長手方向に連設した細長形状をした押圧部を設け、
前記回動部材が開いた際に前記回動部材の押圧部が前記ロック部材の押受部に作用することにより前記ロック部材の係合部が前記接続対象物の係止部から外れることを特徴とするコネクタ。
【請求項３】
前記回動部材の押圧部が前記ロック部材の押受部を押圧することで前記弾性連結部が弾性変形し、前記係合部が上方変位することにより前記ロック部材の係合部が前記接続対象物の係止部から外れることを特徴とする請求項１または２記載のコネクタ。
【請求項４】
前記シェルには前記ロック部材の外側に強度を補強する補強片を設け、
前記補強片には前記回動部材の軸が回転可能に装着できる軸受けを設けることを特徴とする請求項１項記載のコネクタ。
【請求項５】
前記コンタクトは、一方端に前記接触部を有する第１片と、一方端に前記接続部を有する第２片と、前記第１片の他方端と前記第２片の他方 端を連結する連結部とを有し、前記接触部と前記連結部と前記接続部を略コ字形状に配置する第１コンタクト及び一方端に前記接触部を有する第１片と、他方端 に前記接続部を有する第２片と、前記第１片の他方端と前記第２片の一方端を連結する連結部とを有し、前記接触部と前記連結部と前記接続部を略クランク形状 に配置する第２コンタクトとの少なくともどちらか一方を含むことを特徴とする請求項１、２または３、４記載のコネクタ。
【請求項６】
前記コンタクトには、さらに、前記接触部の反対方向（前記接続対象の挿入方向）へ突出する延設部を設け、
前記回動部材には前記延設部が入る別個独立の係止孔を設けるともに隣接する前記係止孔間に仕切り壁を配設し、
前記延設部により前記回動部材の押圧部を抑えることを特徴とする請求項１、２または３、４、５記載のコネクタ。
【請求項７】
前記コンタクトは、一方端に前記接触部と他方端に押受部を有する第１片と、一方端に前記接続部を有する第２片と、前記第１片と前記第２ 片の他方端を連結する弾性連結部とを有し、前記接触部と前記弾性連結部と前記接続部を略コ字形状に配置する第３コンタクト及び一方端に前記接触部と他方端 に押受部を有する第１片と、他方端に前記接続部を有する第２片と、前記第１片と前記第２片の一方端を連結する弾性連結部とを有し、前記接触部と前記弾性連 結部と前記接続部を略クランク形状に配置する第４コンタクトとの少なくともどちらか一方を含み、
前記回動部材には前記押受部が入る別個独立の係止孔を設けるともに隣接する前記係止孔間に仕切り壁を配設し、
前記回動部材が閉じた（前記接続対象物が挿入された）状態では、前記回動部材の押圧部が前記押受部に作用することにより前記第３コンタクトの接触部及び前記第４コンタクトの接触部が前記接続対象物に接触することを特徴とする請求項１、２または３、４記載のコネクタ。
【発明の詳細な説明】
【技術分野】
【０００１】
本発明は、携帯電話やノートパソコンやデジタルカメラ等の電気機器や電子機器に使用されるコネクタに関するもので、特に、接続対象物を挿入するだけで、 ワンタッチで安定した接続及び確実なロックができ、接続対象物の抜去時には簡単にロック部材のロックを解除できる構造に関するものである。
【背景技術】
【０００２】
この種のコネクタは、前記接続対象物の一般的なものとしてフレキシブルプリント基板（以下「ＦＰＣ」という）が挿入される反対側で回動部材を回転させ て、回動部材の部位をコンタクトの部位に作用させることで、前記コンタクトと前記ＦＰＣとを接続させるもの（特許文献１）がある。これと同様の構造のロッ ク部材を用い、少芯数でも安定した接続を得られるもの（特許文献２）がある。つまり、コンタクトと同様の構造のロック部材を前記ＦＰＣが挿入された後に前 記ロック部材が前記ＦＰＣに係合するようにしたものである。特許文献１と特許文献２と違い、前記ＦＰＣが挿入される前に回動部材がコンタクトに作用することにより接触部が開いた状態で前記ＦＰＣが挿入される際のＺＩＦ（ゼロ・インサーション・フォース）構造にしたもの（特許文献３）がある。特許文献３は特 許文献１及び特許文献２と違い、回動部材を嵌合口（前記ＦＰＣの挿入側）側に倒すようにしたものである。これらの文献は全て、前記ＦＰＣの挿入時には挿入 力が掛からないＺＩＦ構造のものである。
下記に、本出願人が提案してきた文献の中で、バックロックタイプの文献として特許文献１（特開２００４−７１１６０）を挙げ、バックロックタイプでロッ ク部材を用いた文献として特許文献２（特開２００４−２２１０６７）を挙げ、回動部材がコンタクトに作用することで接触部が開く構造の文献として特許文献 ３（特開２００６−１１４４３６）を挙げる。
【特許文献１】特開２００４−７１１６０の要約によると、各部位の強度や仕様等を損なうことなく、スライダー１６でＦＰＣ４０又はＦＦＣを確実にコンタクト１４の接触 部２２に押圧することができ、作業性がよく、ピッチの狭小化や低背位化が可能なコネクタを提供することを目的とし、低背位化は、コンタクト１４の接触部 ２２と接続部２４との間に弾性部３４と支点部３２とを設けるとともに接触部２２と弾性部３４と支点部３２と接続部２４とを略クランク形状に配置し、かつ、 接続部２４と対向する位置に弾性部３４から延設された押受部２０を設け、スライダー１６に長手方向に連設した押圧部３６を設け、押圧部３６がコンタクト １４の接続部２２と押受部２０との間で回動自在にスライダー１６をハウジング１２に装着することにより達成できる構造のコネクタが開示されている。
【特許文献２】特開２００４−２２１０６７の要約によると、少芯数のコネクタ１０でも、要求されたＦＰＣ２２の保持力を確保することができ、接続不良にも繋がらないコ ネクタ１０を提供することを目的とし、ＦＰＣ２２と着脱自在に嵌合するコネクタ１０であって、ＦＰＣ２２と接触する接触部３０を有する所要数のコンタクト １４と、このコンタクト１４が保持・固定されるとともにＦＰＣ２２が挿入される嵌合口２４を有するハウジング１２とを備えるコネクタ１０において、 ＦＰＣ２２に係止部５４を設け、係止部５４と係合する係合部５６を有するロック部材２０をハウジング１２に装着し、ロック部材２０の係合部５６を ＦＰＣ２２の係止部５４に係合させることによりＦＰＣ２２がハウジング１２から抜けないようにすることにより達成でき、更に前記係合部５６に対応した位置 に溝部５７を設けることでより確実なロックができる構造のコネクタが開示されている。
【特許文献３】特開２００６−１１４４３６の要約によると、嵌合方向にしか操作スペースがない場合でも、嵌合方向で回動部材を操作でき、ＺＩＦ構造が可能で、上下接点 構造にすることができるコネクタを提供することを目的とし、コンタクト１４の構成を、一端側に前記接続対象物と接触する接触部２６と他端側に回動部材１６ により押圧される押受部３２とを有する第一片２２と、一端側に支点部２８と他端側に基板２０と接続する接続部４０とを有する第ニ片２４と、第一片２２と支 点部２８とを連結する連結部３０と、接続部４０近傍より略Ｌ字形状に延設され、自由端側に第二押受部３４とを備え、接触部２６と連結部３０と支点部２８と 接続部４０とを略クランク形状に配置されるとともに接触部２６は嵌合口１７内に突出するようし、回動部材１６を回動するようにハウジング１２に装着し、回 動部材１６の押圧部４６をコンタクト１４の押受部３２と第二押受部３４との間で回動させることで達成できる構造のコネクタが開示されている。
【発明の開示】
【発明が解決しようとする課題】
【０００３】
近年、ＦＰＣ等の接続対象物とより確実なロックをするためには、ロック部分を有する必要があり、接続対象物を挿入するだけで、ワンタッチで安定した接続及び確実なロックができ、接続対象物の抜去時には簡単にロック部材のロックを解除できる構造を望んでいる。
特許文献１は、接続対象物とのロック部材を有するものでなく、カムをコンタクトに作用させたＺＩＦ構造で、接続対象物とロックすることはできないし、ワンタッチでの接続構造ではない。
特許文献２は、ロック部材を有するもののＺＩＦ構造であり、ｎｏｎ−ＺＩＦ構造になっていないし、ワンタッチでの接続構造ではない。カムの作用を逆に し、ｎｏｎ−ＺＩＦ構造にすると接続対象物の挿入前はロック部材に付加が掛かっている状態のため、ロック部材の耐久性が短くなってしまう。
特許文献３は、接続対象物とのロック部材を有するものでなく、カムをコンタクトに作用させたＺＩＦ構造で、接続対象物とロックすることはできないし、ワンタッチでの接続構造ではない。
客先からは、必要があれば、ＥＭＩ対策も要求され、コンタクトはＺＩＦ構造を要求されることもあれば、コンタクトもｎｏｎ−ＺＩＦ構造を要求されることもある。
【０００４】
本発明は、このような従来の問題点に鑑みてなされたもので、接続対象物を挿入するだけで、ワンタッチで安定した接続及び確実なロックができ、接続対象物の抜去時には簡単にロック部材のロックを解除できる構造のコネクタを提供するものである。
【課題を解決するための手段】
【０００５】
本目的は、請求項１記載のように、接続対象物が着脱自在に挿抜されるコネクタであって、
前記接続対象物と接触する接触部と基板に接続する接続部を有する所要数のコンタクトと、該コンタクトが挿入されるとともに配列・保持される挿入孔と前記 接続対象物が挿入される嵌合口を有するハウジングと、前記ハウジングの嵌合口の反対側に装着される回動部材と、前記ハウジングを覆うシェルと、を備えるコ ネクタにおいて、
前記接続対象物に係止部を設け、
一方端に前記接続対象物の係止部と係合する係合部と他方端に前記回動部材が作用する押受部とを略クランク形状に配置するロック部材を、前記シェルの長手ピッチ方向両側付近に、前記シェルと弾性連結部により一体に形成し、
前記ハウジングには前記ロック部材が入る挿入溝を設け、
前記回動部材には前記押受部に作用する長手方向に連設した細長形状をした押圧部を設け、
前記回動部材が開いた際に前記回動部材の押圧部が前記ロック部材の押受部に作用することにより前記ロック部材の係合部が前記接続対象物の係止部から外れることを特徴とするコネクタにすることにより達成できる。
【０００６】
また、本目的は、請求項２記載のように、接続対象物が着脱自在に挿抜されるコネクタであって、
前記接続対象物と接触する接触部と基板に接続する接続部を有する所要数のコンタクトと、該コンタクトが挿入されるとともに配列・保持される挿入孔と前記 接続対象物が挿入される嵌合口を有するハウジングと、前記ハウジングの嵌合口の反対側に装着される回動部材と、を備えるコネクタにおいて、
前記接続対象物に係止部を設け、
一方端に前記接続対象物の係止部と係合する係合部と他方端に前記回動部材が作用する押受部とを略クランク形状に配置するロック部材と前記ロック部材の長手ピッチ方向外側に強度を補強する補強片とを弾性連結部により一体に形成し、
前記ハウジングには前記ロック部材が入る挿入溝と前記補強片が入る装着溝を設け、
前記回動部材には前記押受部に作用する長手方向に連設した細長形状をした押圧部を設け、
前記回動部材が開いた際に前記回動部材の押圧部が前記ロック部材の押受部に作用することにより前記ロック部材の係合部が前記接続対象物の係止部から外れることを特徴とするコネクタにすることでも達成できる。
【０００７】
請求項３記載のコネクタは、前記回動部材の押圧部が前記ロック部材の押受部を押圧することで前記弾性連結部が弾性変形し、前記係合部が上方変位すること により前記ロック部材の係合部が前記接続対象物の係止部から外れることを特徴とする請求項１または２記載のコネクタにある。
また、請求項４記載のコネクタは、前記シェルには前記ロック部材の外側に強度を補強する補強片を設け、前記補強片には前記回動部材の軸が回転可能に装着できる軸受けを設けることを特徴とする請求項１項記載のコネクタにある。
さらに、請求項５記載のコネクタは、前記コンタクトは、一方端に前記接触部を有する第１片と、一方端に前記接続部を有する第２片と、前記第１片の他方端 と前記第２片の他方端を連結する連結部とを有し、前記接触部と前記連結部と前記接続部を略コ字形状に配置する第１コンタクト及び一方端に前記接触部を有する第１片と、他方端に前記接続部を有する第２片と、前記第１片の他方端と前記第２片の一方端を連結する連結部とを有し、前記接触部と前記連結部と前記接続 部を略クランク形状に配置する第２コンタクトとの少なくともどちらか一方を含むことを特徴とする請求項１、２または３、４記載のコネクタにある。
【０００８】
請求項６記載のコネクタは、前記コンタクトには、さらに、前記接触部の反対方向（前記接続対象の挿入方向）へ突出する延設部を設け、前記回動部材には前 記延設部が入る別個独立の係止孔を設けるともに隣接する前記係止孔間に仕切り壁を配設し、前記延設部により前記回動部材の押圧部を抑えることを特徴とする 請求項１、２または３、４、５記載のコネクタにある。
また、請求項７記載のコネクタは、前記コンタクトは、一方端に前記接触部と他方端に押受部を有する第１片と、一方端に前記接続部を有する第２片と、前記 第１片と前記第２片の他方端を連結する弾性連結部とを有し、前記接触部と前記弾性連結部と前記接続部を略コ字形状に配置する第３コンタクト及び一方端に前 記接触部と他方端に押受部を有する第１片と、他方端に前記接続部を有する第２片と、前記第１片と前記第２片の一方端を連結する弾性連結部とを有し、前記接 触部と前記弾性連結部と前記接続部を略クランク形状に配置する第４コンタクトとの少なくともどちらか一方を含み、前記回動部材には前記押受部が入る別個独 立の係止孔を設けるともに隣接する前記係止孔間に仕切り壁を配設し、前記回動部材が閉じた（前記接続対象物が挿入された）状態では、前記回動部材の押圧部 が前記押受部に作用することにより前記第３コンタクトの接触部及び前記第４コンタクトの接触部が前記接続対象物に接触することを特徴とする請求項１、２ま たは３、４記載のコネクタにある。
【発明の効果】
【０００９】
以上の説明から明らかなように、本発明のコネクタによると、次のような優れた効果が得られる。ロック部材を用いて、接続対象物を挿入するだけで、ワンタッチで安定した接続及び確実なロックができ、接続対象物の抜去時には簡単にロック部材のロックを解除できる。
【００１０】
（１）接続対象物が着脱自在に挿抜されるコネクタであって、前記接続対象物と接触する接触部と基板に接続する接続部を有する所要数のコンタクトと、該コン タクトが挿入されるとともに配列・保持される挿入孔と前記接続対象物が挿入される嵌合口を有するハウジングと、前記ハウジングの嵌合口の反対側に装着され る回動部材と、前記ハウジングを覆うシェルと、を備えるコネクタにおいて、前記接続対象物に係止部を設け、一方端に前記接続対象物の係止部と係合する係合 部と他方端に前記回動部材が作用する押受部とを略クランク形状に配置するロック部材を、前記シェルの長手ピッチ方向両側付近に、前記シェルと弾性連結部に より一体に形成し、前記ハウジングには前記ロック部材が入る挿入溝を設け、前記回動部材には前記押受部に作用する長手方向に連設した細長形状をした押圧部 を設け、前記回動部材が開いた際に前記回動部材の押圧部が前記ロック部材の押受部に作用することにより前記ロック部材の係合部が前記接続対象物の係止部か ら外れることを特徴とするコネクタにしているので、ロック部材を用いて、接続対象物を挿入するだけで、ワンタッチで安定した接続及び確実なロックができ、 接続対象物の抜去時には簡単にロック部材のロックを解除でき、シェルを備えるためＥＭＩ対策もできる。
【００１１】
（２）接続対象物が着脱自在に挿抜されるコネクタであって、前記接続対象物と接触する接触部と基板に接続する接続部を有する所要数のコンタクトと、該コン タクトが挿入されるとともに配列・保持される挿入孔と前記接続対象物が挿入される嵌合口を有するハウジングと、前記ハウジングの嵌合口の反対側に装着される回動部材と、を備えるコネクタにおいて、前記接続対象物に係止部を設け、一方端に前記接続対象物の係止部と係合する係合部と他方端に前記回動部材が作用 する押受部とを略クランク形状に配置するロック部材と前記ロック部材の長手ピッチ方向外側に強度を補強する補強片とを弾性連結部により一体に形成し、前記 ハウジングには前記ロック部材が入る挿入溝と前記補強片が入る装着溝を設け、前記回動部材には前記押受部に作用する長手方向に連設した細長形状をした押圧 部を設け、前記回動部材が開いた際に前記回動部材の押圧部が前記ロック部材の押受部に作用することにより前記ロック部材の係合部が前記接続対象物の係止部 から外れることを特徴とするコネクタにしているので、ロック部材を用いて、接続対象物を挿入するだけで、ワンタッチで安定した接続及び確実なロックがで き、接続対象物の抜去時には簡単にロック部材のロックを解除できる。
【００１２】
（３）請求項３記載のコネクタは、前記回動部材の押圧部が前記ロック部材の押受部を押圧することで前記弾性連結部が弾性変形し、前記係合部が上方変位する ことにより前記ロック部材の係合部が前記接続対象物の係止部から外れることを特徴とする請求項１または２記載のコネクタにしているので、ロック部材を用い て、接続対象物を挿入するだけで、ワンタッチで安定した接続及び確実なロックができ、接続対象物の抜去時には簡単にロック部材のロックを解除できる。
（４）請求項４記載のコネクタは、前記シェルには前記ロック部材の外側に強度を補強する補強片を設け、前記補強片には前記回動部材の軸が回転可能に装着で きる軸受けを設けることを特徴とする請求項１項記載のコネクタにしているので、ロック部材を用いて、挿入時には力が掛かるが確実なロックができ、抜去時に は容易に抜去でき、ＥＭＩ対策もでき、安定した接続を得られる。
（５）請求項５記載のコネクタは、前記コンタクトは、一方端に前記接触部を有する第１片と、一方端に前記接続部を有する第２片と、前記第１片の他方端と前 記第２片の他方端を連結する連結部とを有し、前記接触部と前記連結部と前記接続部を略コ字形状に配置する第１コンタクト及び一方端に前記接触部を有する第 １片と、他方端に前記接続部を有する第２片と、前記第１片の他方端と前記第２片の一方端を連結する連結部とを有し、前記接触部と前記連結部と前記接続部を 略クランク形状に配置する第２コンタクトとの少なくともどちらか一方を含むことを特徴とする請求項１、２または３、４記載のコネクタにしているので、ロッ ク部材を用いて、接続対象物を挿入するだけで、ワンタッチで安定した接続及び確実なロックができ、接続対象物の抜去時には簡単にロック部材のロックを解除できる。
（６）請求項６記載のコネクタは、前記コンタクトには、さらに、前記接触部の反対方向（前記接続対象の挿入方向）へ突出する延設部を設け、前記回動部材に は前記延設部が入る別個独立の係止孔を設けるともに隣接する前記係止孔間に仕切り壁を配設し、前記延設部により前記回動部材の押圧部を抑えることを特徴と する請求項１、２または３、４、５記載のコネクタにしているので、ロック部材を用いて、接続対象物を挿入するだけで、ワンタッチで安定した接続及び確実な ロックができ、接続対象物の抜去時には簡単にロック部材のロックを解除できる。
（７）請求項７記載のコネクタは、前記コンタクトは、一方端に前記接触部と他方端に押受部を有する第１片と、一方端に前記接続部を有する第２片と、前記第 １片と前記第２片の他方端を連結する弾性連結部とを有し、前記接触部と前記弾性連結部と前記接続部を略コ字形状に配置する第３コンタクト及び一方端に前記 接触部と他方端に押受部を有する第１片と、他方端に前記接続部を有する第２片と、前記第１片と前記第２片の一方端を連結する弾性連結部とを有し、前記接触 部と前記弾性連結部と前記接続部を略クランク形状に配置する第４コンタクトとの少なくともどちらか一方を含み、前記回動部材には前記押受部が入る別個独立 の係止孔を設けるともに隣接する前記係止孔間に仕切り壁を配設し、前記回動部材が閉じた（前記接続対象物が挿入された）状態では、前記回動部材の押圧部が 前記押受部に作用することにより前記第３コンタクトの接触部及び前記第４コンタクトの接触部が前記接続対象物に接触することを特徴とする請求項１、２また は３、４記載のコネクタにしているので、ロック部材を用いて、接続対象物を挿入するだけで、ワンタッチで安定した接続及び確実なロックができ、接続対象物 の抜去時には簡単にロック部材のロックを解除でき、かつ、コンタクトも非接続状態になり容易に接続対象物を抜去できる。
【図面の簡単な説明】
【００１３】
【図１】（Ａ）  本発明のコネクタと矢印方向に抜去した状態のＦＰＣを嵌合口側の上方からみた斜視図である。（Ｂ）  本発明のコネクタと矢印方向に抜去した状態のＦＰＣを嵌合口と反対側の下方からみた斜視図である。（Ｃ）  ＦＰＣが挿入された状態の本発明のコネクタを嵌合口側の上方からみた斜視図である。
【図２】（Ａ）  ＦＰＣが挿入されてなく、かつ、回動部材が閉じた状態で、ロック部材部分で断面した断面図である。（Ｂ）  ＦＰＣが挿入され、かつ、回動部材が閉じた状態で、ロック部材部分で断面した断面図である。（Ｃ）  ＦＰＣが挿入され、かつ、回動部材が開いた状態で、ロック部材部分で断面した断面図である。
【図３】（Ａ）  ＦＰＣが挿入されてなく、かつ、回動部材が閉じた状態で、あるコンタクト部分で断面した断面図である。（Ｂ）  ＦＰＣが挿入され、かつ、回動部材が閉じた状態で、あるコンタクト部分で断面した断面図である。（Ｃ）  ＦＰＣが挿入され、かつ、回動部材が開いた状態で、あるコンタクト部分で断面した断面図である。
【図４】（Ａ）  コンタクトの斜視図である。（Ｂ）  千鳥配置するための別のコンタクト（第２コンタクト）の斜視図である。（Ｃ）  ＺＩＦ構造のコンタクト（第４コンタクト）の斜視図である。
【図５】（Ａ）  嵌合口側上方よりみたハウジングの斜視図である。（Ｂ）  ハウジングをあるコンタクト挿入孔部分で断面した断面図である。（Ｃ）  ハウジングをロック部材挿入溝部分で断面した断面図である。（Ｄ）  ハウジングを補強片装着孔部分で断面した断面図である。
【図６】（Ａ）  回動部材の斜視図である。（Ｂ）  回動部材をある係止孔部分で断面した断面図である。
【図７】（Ａ）  シェルをハウジング接触側よりみた斜視図である。（Ｂ）  ロック部材をハウジング装着側よりみた斜視図である。
【図８】回動部材の押圧部の別の説明図である。
【発明を実施するための最良の形態】
【００１４】
本発明の特徴は、接続対象物が着脱自在に挿抜されるコネクタ１０であって、前記接続対象物と接触する接触部１４１と基板に接続する接続部１４３を有する 所要数のコンタクト１４と、該コンタクト１４が挿入されるとともに配列・保持される挿入孔１２１と前記接続対象物が挿入される嵌合口３０を有するハウジン グ１２と、前記ハウジング１２の嵌合口３０の反対側に装着される回動部材１８と、前記ハウジング１２を覆うシェル２０と、を備えるコネクタ１０において、 前記接続対象物に係止部８２を設け、一方端に前記接続対象物の係止部８２と係合する係合部２０５と他方端に前記回動部材１８が作用する押受部２０６とを略 クランク形状に配置するロック部材２０２を、前記シェル２０の長手ピッチ方向両側付近に、前記シェル２０と弾性連結部２０４により一体に形成し、前記ハウ ジング１２には前記ロック部材２０２が入る挿入溝１２２を設け、前記回動部材１８には前記押受部２０６に作用する長手方向に連設した細長形状をした押圧部 １８２を設け、前記回動部材１８が開いた際に前記回動部材１８の押圧部１８２が前記ロック部材２０２の押受部２０６に作用することにより前記ロック部材 ２０２の係合部２０５が前記接続対象物の係止部８２から外れることを特徴とするコネクタである。
また、本発明の特徴は、接続対象物が着脱自在に挿抜されるコネクタ１０であって、前記接続対象物と接触する接触部１４１と基板に接続する接続部１４３を 有する所要数のコンタクト１４と、該コンタクト１４が挿入されるとともに配列・保持される挿入孔１２１と前記接続対象物が挿入される嵌合口３０を有するハ ウジング１２と、前記ハウジング１２の嵌合口３０の反対側に装着される回動部材１８と、を備えるコネクタ１０において、前記接続対象物に係止部８２を設 け、一方端に前記接続対象物の係止部８２と係合する係合部２２５と他方端に前記回動部材１８が作用する押受部２２６とを略クランク形状に配置するロック部 材２２と前記ロック部材２２の長手ピッチ方向外側に強度を補強する補強片２２３とを弾性連結部２２４により一体に形成し、前記ハウジング１２には前記ロッ ク部材２２が入る挿入溝１２２と前記補強片２２４が入る装着溝１２３を設け、前記回動部材１８には前記押受部２２６に作用する長手方向に連設した細長形状 をした押圧部１８２を設け、前記回動部材１８が開いた際に前記回動部材１８の押圧部１８２が前記ロック部材２２の押受部２２６に作用することにより前記 ロック部材２２の係合部２２５が前記接続対象物の係止部８２から外れることを特徴とするコネクタ１０である。
つまり、接続対象物を挿入するだけで、ワンタッチで安定した接続及び確実なロックができ、接続対象物の抜去時には簡単にロック部材のロックを解除できる 構造のコネクタ１０の提供を目的とし、前記接続対象物に係止部８２を設け、一方端に前記接続対象物の係止部８２と係合する係合部２０５、２２５と他方端に 前記回動部材１８が作用する押受部２０６、２２６とを略クランク形状に配置するロック部材２０２、２２を用い、このロック部材２０２、２２をハウジング １２に配置し、押受部２０６、２２６に作用する押圧部１８２を有する回動部材１８を前記接続対象物の挿入側と反対側に配置し、前記回動部材１８が開いた際 に前記回動部材１８の押圧部１８２が前記ロック部材２０２、２２の押受部２０６、２２６に作用することにより前記ロック部材２０２、２２の係合部２０５、 ２２５が前記接続対象物の係止部８２から外れるようにしたものである。
【００１５】
図１から図９に基づいて、本発明のコネクタ１０の一実施例について説明する。
図１（Ａ）は本発明のコネクタと矢印方向に抜去した状態のＦＰＣを嵌合口側の上方からみた斜視図であり、（Ｂ）は本発明のコネクタと矢印方向に抜去した状 態のＦＰＣを嵌合口と反対側の下方からみた斜視図であり、（Ｃ）はＦＰＣが挿入された状態の本発明のコネクタを嵌合口側の上方からみた斜視図である。図 ２（Ａ）はＦＰＣが挿入されてなく、かつ、回動部材が閉じた状態で、ロック部材部分で断面した断面図であり、（Ｂ）はＦＰＣが挿入され、かつ、回動部材が 閉じた状態で、ロック部材部分で断面した断面図であり、（Ｃ）はＦＰＣが挿入され、かつ、回動部材が開いた状態で、ロック部材部分で断面した断面図である。図３（Ａ）はＦＰＣが挿入されてなく、かつ、回動部材が閉じた状態で、あるコンタクト部分で断面した断面図であり、（Ｂ）はＦＰＣが挿入され、かつ、 回動部材が閉じた状態で、あるコンタクト部分で断面した断面図であり、（Ｃ）はＦＰＣが挿入され、かつ、回動部材が開いた状態で、あるコンタクト部分で断 面した断面図である。図４（Ａ）はコンタクトの斜視図であり、（Ｂ）は千鳥配置するための別のコンタクトの斜視図であり、（Ｃ）はＺＩＦ構造のコンタクト の斜視図である。図５（Ａ）は嵌合口側上方よりみたハウジングの斜視図であり、（Ｂ）はハウジングをあるコンタクト挿入孔部分で断面した断面図であり、 （Ｃ）はハウジングをロック部材挿入溝部分で断面した断面図であり、（Ｄ）はハウジングを補強片装着孔部分で断面した断面図である。図６（Ａ）は回動部材 の斜視図であり、（Ｂ）は回動部材をある係止孔部分で断面した断面図である。図７（Ａ）はシェルをハウジング接触側よりみた斜視図であり、（Ｂ）はロック 部材をハウジング装着側よりみた斜視図である。図８は回動部材の押圧部の別の説明図である。
【００１６】
本発明のコネクタ１０は、主にハウジング１２とコンタクト１４と回動部材１８とロック部材２２、２０２とを備えている。必要に応じてシェル２０を備える 場合もある。本実施例では、まず、シェル２０を備え、ロック部材２０２が前記シェル２０と一体構造になったものについて説明する。前記ロック部材２０２は 前記シェル２０と別部品でもよく、後述する。
【００１７】
構成部品を説明する前に、本実施例に使用する接続対象物であるＦＰＣ８０について説明する。前記ＦＰＣ８０には、主にコンタクト１４の接触部１４１と接触する接点と該接点から回路へ繋がるパターンとを備えている。前記ＦＰＣ８０には、前記ロック部材２０２、２２と係合する係止部８２が設けられている。前 記係止部８２は、前記ロック部材２０２、２２と係合でき、安定した保持力が得られればよく、その形状は溝や孔や止め孔等であってもよく、保持力や加工性等 を考慮して適宜設計する。
【００１８】
図に基づいて本発明のコネクタ１０の構成部品について説明する。まず、シェル２０について説明する。前記シェル２０は金属製であり、公知技術のプレス加 工によって製作されている。前記シェル２０の材質としては、バネ性や導電性やＥＭＩ特性や寸法安定性などが要求されるので、黄銅やベリリウム銅やリン青銅 等を挙げることができる。本実施例では、前記シェル２０に前記ロック部材２０２が一体に成型されている。
【００１９】
前記シェル２０には、主に、本体部２０１と該本体部２０１に連結したロック部材２０２及び補強片２０３とを有している。前記本体部２０１は、ＥＭＩ対策 やコジリ対策のために前記ハウジング１２の天井部１２４を覆う部分であり、略板状片をしている。前記本体部２０１の形状・大きさは、前記ハウジング１２の 天井部１２４に沿うように適宜設計されている。
【００２０】
一体構造の前記ロック部材２０２について説明する。前記ロック部材２０２は前記本体部２０１に弾性連結部２０４により長手ピッチ方向両側に連結されている。前記ロック部材２０２は、一方端側に前記ＦＰＣ８０の係止部８２と係合する係合部２０５と他方端側に前記回動部材１８の押圧部１８２が作用する押受部 ２０６を有している。前記係合部２０５と前記押受部２０６は略クランク形状に配置されている。
【００２１】
前記ロック部材２０２は、前記ＦＰＣ８０を挿入する際には挿入力が掛かる、所謂、Ｎｏｎ−ＺＩＦ構造になっている。つまり、前記ＦＰＣ８０を前記ハウジ ング１２の嵌合口３０に挿入すると、前記ＦＰＣ８０が前記係合部２０５を乗り越えて、前記係合部２０５が前記ＦＰＣ８０の係止部８２に係合し、ロックされ る。つまり、前記係合部２０５と前記ハウジングとの間隔は前記ＦＰＣ８０の厚さより狭くしている。
【００２２】
前記ロック部材２０２は、前記ＦＰＣ８０を抜去する際には抜去力が掛からない、所謂、ＺＩＦ構造になっている。つまり、前記回動部材１８を開くと、前記 回動部材１８の押圧部１８２が前記ロック部材２０２の押受部２０６に作用し、前記押受部２０６が下方向（実装基板側）に押し下げられるとクランクに折曲られた部分が前記弾性連結部２０４側に倒れることにより前記係合部２０５が上方向（実装基板と反対側）に持ち上げられることで、前記係合部２０５が前記 ＦＰＣ８０の係止部８２から外れるため、抜去力が掛からないで前記ＦＰＣ８０を抜くことができる。前記ＦＰＣ８０を抜去した状態を示した図面が図１（Ａ） 及び（Ｂ）である。
【００２３】
前記係合部２０５の形状・大きさは、前記ＦＰＣ８０の係止部８２と係合できればよいが、挿入時や抜去時の上記役割（動き）を満足することや保持力や強度や加工性を考慮して適宜設計する。本実施例では、前記係合部２０５の先端部分を略三角形状にしている。
前記押受部２０６とクランク形状に折曲られた部分と前記弾性連結部２０４の形状・大きさは、挿入時や抜去時の上記役割（動き）を満足するように適宜設計されている。
【００２４】
前記補強片２０３について説明する。前記補強片２０３は、長手ピッチ方向両側で、嵌合口３０側で、前記本体部２０１と連結されている。前記補強片２０３ の主な役割は、前記シェル２０（前記ロック部材２０２を含め）を前記ハウジング１２に保持（固定）するためのものである。そのため、前記補強片２０３に は、前記ハウジング１２へ固定するための保持部２０７が設けられている。前記保持部２０７は、前記ハウジング１２へ固定出来ればよく、前記保持部２０７の 形状、大きさ及び位置は保持力やバランスや加工性や強度等を考慮して適宜設計している。
【００２５】
本実施例では、前記補強片２０３には前記回動部材１８の軸１８５に対応する位置に軸受部２０６が設けられている。前記軸受部２０６は前記回動部材１８の 軸１８５と回動できるように軸着できればよく、その形状・大きさは前記回動部材１８が回動した際に、前記押圧部１８２が移動及び回転できることや加工性や 強度等を考慮して適宜設計する。本実施例では前記軸受部２０６を前記シェル２０に設けたが、前記ハウジング１２に設けてもよい。磨耗等を考えると、前記 シェル２０に設けることが望ましい。
【００２６】
ここで、前記シェル２０と別体にしたロック部材２２について説明する。以下では、前記シェル２０と一体構造にした前記ロック部材２０２との相違点について説明する。
【００２７】
前記ロック部材２２にも、上記と同様の補強片２２３が図７（Ｂ）のように弾性連結部２２４によって一体構造になっている。前記補強片２２３の形状・大きさ及び役割は、上述と同様である。
【００２８】
前記ロック部材２２に設けられた係合部２２５や押受部２２６の形状・大きさ及び配置も上述と同様であり、それぞれの役割や作用も同じである。クランクに折曲られた部分と前記弾性連結部２２４の役割・作用も同様である。相違点と言えば、弾性連結部２２４の連結部位である。
【００２９】
次に、コンタクト１４について説明する。前記コンタクト１４は金属製であり、公知技術のプレス加工によって製作されている。前記コンタクト１４の材質と しては、バネ性や導電性などが要求されるので、黄銅やベリリウム銅やリン青銅等を挙げることができる。本実施例では、前記コンタクト１４は前記ハウジング １２の挿入孔１２１内に挿入される。
【００３０】
前記コンタクト１４には、少なくとも前記ＦＰＣ８０の上面に接触する上側の接触部１４１と前記ハウジング１２に固定する固定部１４２と基板に接続する接 続部１４３を有している。本実施例では、前記接触部１４１と前記接続部１４３はコ字形状に配置されている。前記接触部１４１と前記接続部１４３の中間部分 には、２つの片同士を連結する連結部１４５が設けられている。本実施例においては、さらに、前記接触部１４１と反対方向（前記ＦＰＣ８０の挿入方向）に延設した延設部１４４と前記接触部１４１と対向する位置にもう一つの下側の接触部１４１が設けられている。このようにすることにより上下接点が可能になり、 かつ、Ｎｏｎ−ＺＩＦ構造でも安定した接続が得られる。
【００３１】
前記接触部１４１、１４１は、前記ＦＰＣ８０と接触し易いように凸部形状にしており、前記接続部１４３は本実施例では図４（Ａ）のように表面実装タイプ （ＳＭＴ）にしているが、ディップタイプでも良い。前記接続部１４３の近傍に、前記ハウジング１２への固定部１４２が設けられている。前記固定部１４２が 前記ハウジング１２へ圧入することにより保持される。
【００３２】
前記コンタクト１４の２つの接触部１４１、１４１間は、前記ＦＰＣ８０の厚さよりも狭くしており、所謂、Ｎｏｎ−ＺＩＦ構造にしている。つまり、前記 ＦＰＣ８０を前記ハウジング１２の嵌合口３０に挿入すると、前記ＦＰＣ８０が２つの前記接触部１４１、１４１を押し広げるように挿入され、前記接触部 １４１、１４１が前記ＦＰＣ８０の接点に接触することで電気的に導通する。本実施例の前記コンタクト１４の場合、前記ＦＰＣ８０の挿入時にも、抜去時にも 力を要する、所謂、Ｎｏｎ−ＺＩＦ構造である。前記コンタクト１４をＮｏｎ−ＺＩＦ構造にすることで、前記ＦＰＣ８０の保持力をアップさせている。つま り、前記ＦＰＣ８０を挿入するワンタッチで接続できる構造である。
【００３３】
前記延設部１４４は、前記回動部材１８が回動し開いた際の前記押圧部１８２を抑えるためのものである。つまり、前記押圧部１８２が実装基板と反対側（上 方向）に持ち上がらないようにするためのものである。前記押圧部１８２が持ち上がってしまうと、前記ロック部材２０、２０２の押受部２０６、２２６を押圧 出来なくなってしまうためである。このような状況から前記コンタクト１４には、前記延設部１４４を設けることが望ましい。前記延設部１４４の形状・大きさ は、このような役割や加工性や強度等を考慮して適宜設計する。
【００３４】
次に、回動部材１８について説明する。この回動部材１８は電気絶縁性のプラスチックであり、公知技術の射出成形によって製作され、この材質としては寸法 安定性や加工性やコスト等を考慮して適宜選択するが、一般的にはポリブチレンテレフタレート（ＰＢＴ）やポリアミド（６６ＰＡ、４６ＰＡ）や液晶ポリマー （ＬＣＰ）やポリカーボネート（ＰＣ）やポリフェニレンサルファイド（ＰＰＳ）やこれらの合成材料を挙げることができる。前記回動部材１８は主に操作部 １８１とハウジング１２に回動可能に装着される軸１８５部分と押受部２０６を押圧する押圧部１８２とを備えている。本実施例では、更に、前記コンタクト １４の延設部１４４が入る係止孔１８３が設けられている。前記軸１８５は、回動部材１６を回動するための支点であり、ハウジング１２若しくは前記シェル ２０の長手方向両側に回動部材１８が回動可能に適宜装着されている。前記軸１８５と前記ハウジング１２若しくは前記シェル２０の軸受との関係は、前記回動 部材１８が回動した際に、前記押圧部１８２が移動及び回転できる程度の０．０５〜０．０７ｍｍ程度クリアランスを設けている。
【００３５】
前記押圧部１８２は、前記ロック部材２０２、２２の押受部２０６、２２６に押し付ける部分であり、その形状としては細長形状にする。前記押圧部１８２の 形状は、本実施例では楕円形状をしている。このように楕円形状にすることによって、前記回動部材１８を回動させ、前記ロック部材２０２、２２の押受部 ２０６、２２６に作用させることで、前記押圧部１８２の大きさの変化により前記ロック部材２０２、２２の押受部２０６、２２６が押し下げられ、前記 ＦＰＣ８０の係止部８２から前記ロック部材２０２、２２の係合部２０５、２２５が外れる。前記押圧部１８２の形状としては、前記ロック部材２０２、２２の 押受部２０６、２２６に作用でき、長軸と短軸といった大きさの違いにより前記ロック部材２０２、２２の押受部２０６、２２６を押し下げられれば、如何なる ものでもよい。
【００３６】
また、前記回動部材１８を回動し開いた際に、前記ロック部材２０２、２２の押受部２０６、２２６を確実に押し下げる為に、前記コンタクト１４の延設部 １４４が入る係止孔１８３が別個独立に設けられている。別個独立に設けることで、結果的に隣接する前記コンタクト１４の間には、仕切り壁１８４が設けられ ることになり、前記係止孔１８３を別個独立に設け、かつ、前記仕切り壁１８４を設けることで、前記回動部材１８の強度アップや回動時の変形を防止している。
【００３７】
さらに、前記操作部１８１は、前記回動部材１８を回動させる際に、指や治具等で押す部分である。前記操作部１８１の形状・大きさは、指や治具等で押せればよく、コネクタの小型化や強度や加工性や操作性等を考慮して適宜設計する。
【００３８】
さらにまた、前記回動部材１８の幅方向両側には、前記回動部材１８が閉じた際に確実にロックするロック１８６を設けるとよい。前記ロック１８６の形状・大きさは確実にロックできればよく、保持力やコネクタの小型化や強度や加工性等を考慮して適宜設計する。
【００３９】
次に、ハウジング１２について説明する。このハウジング１２は電気絶縁性のプラスチックであり、公知技術の射出成形によって製作され、この材質としては 寸法安定性や加工性やコスト等を考慮して適宜選択するが、一般的にはポリブチレンテレフタレート（ＰＢＴ）やポリアミド（６６ＰＡ、４６ＰＡ）や液晶ポリ マー（ＬＣＰ）やポリカーボネート（ＰＣ）やこれらの合成材料を挙げることができる。前記ハウジング１２には、前記ＦＰＣ８０が挿入される嵌合口３０が設 けられている。前記嵌合口３０は、前記ＦＰＣ８０が入ればよく、前記ＦＰＣ８０の厚さより大きくしているが、前記ＦＰＣ８０を挿入した際には、前記コンタ クト１４の接触部１４１と接触する所謂ｎｏｎ−ＺＩＦ構造になっている。
【００４０】
前記ハウジング１２には、所要数のコンタクト１４が装着される挿入孔１２１が設けられており、圧入や引っ掛け（ランス）や溶着等によって固定されてい る。前記挿入孔１２１は、前記回動部材１８が装着される側から前記嵌合口３０側に向かう方向に設けられている。前記コンタクト１４は前記嵌合口３０側より 挿入されている。
【００４１】
前記ハウジング１２の長手方向両側には、前記ロック部材２０２、２２が入る挿入溝１２２と前記補強片２０３、２２３が入る装着孔１２３とが設けられている。前記挿入溝１２２と前記装着孔１２３の形状・大きさは、前記ロック部材２０２、２２及び前記補強片２０３、２２３の形状に沿い、保持力や加工性や強度 やコネクタの小型化等を考慮して適宜設計する。
【００４２】
前記ハウジング１２は、前記コンタクト１４の接触部１４１を被覆する天井部１２４を備えている。前記天井部１２４はほこりや塵などから前記コンタクト １４の接触部１４１を保護する部分である。前記回動部材１８が回動するために、前記ハウジング１２には、前記ＦＰＣ８０の挿入方向と反対側に切欠部１２５ を設けている。
【００４３】
以下、違うコンタクトについて説明する。まず、狭ピッチを実現するためのコンタクトについて説明する。前記コンタクトも、少なくとも接触部と接続部を有 している。前記コンタクトは、一方端に接触部１５１を有する第１片と他方端に基板に接続する接続部１５３を有する第２片と前記第１片の他方端と前記第２片 の一方端を連結する連結部１５５を有しているものを、第２コンタクト１５という。更に、本実施例では図４（Ｂ）のように前記接続部１５３と対向するように 延設部１５４が設けられている。前記延設部１５４は上述と同様の役割を果す部分である。狭ピッチにするために、前記コンタクト１４と前記第２コンタクト １５を千鳥に配置した。つまり、１本おきに、前記コンタクト１４を嵌合口３０方向から挿入し、前記第２コンタクト１５を嵌合口３０の反対側より挿入してい る。
【００４４】
上述した２つのコンタクト１４、１５は、前記延設部１４４、１５４を有しないものであってもよい。また、上述した２つのコンタクト１４、１５は、略倒ｈ 形状のものを実施例として説明したが、さらに、前記コンタクト１４の場合には前記延設部１４４と対向するように延設した第２延設部を設け、前記第２コンタ クト１５の場合には前記接触部１５１と対向するように延設した第２延設部を設け、それぞれ略倒Ｈ形状にしたものでもよい。（図示せず）
【００４５】
コネクタとしては、上述した２つのコンタクト１４、１５のどちらか一方を含むものであってもよいし、両方のコンタクト１４、１５を含むものであってもよい。前記第２コンタクト１５の第２延設部の先端で前記接触部１５１と対向する位置に、２つの目の接触部を設けてもよい。上述した２つのコンタクト１４、１５は、挿抜の両方とも力（挿入力と抜去力）が掛かるものである。
【００４６】
次に、コンタクトをＺＩＦ構造（挿入時には力が掛かるが、抜去時には力が掛からない）にしたものについて説明する。図４（Ｃ）に示したＺＩＦ構造のコン タクトは、上述した第２コンタクト１５と同一形状をしており、前記第２コンタクト１５の延設部１５４を第４押受部１６４とし、前記連結部１５５を弾性連結 部１６５とした第４コンタクト１６とし、前記第４押受部１６４に前記回動部材１８の押圧部１８２が作用し、前記第４押受部１６４を持ち上げることにより前 記弾性連結部１６５が接触部である第４接触部１６１側に倒れ、前記第４接触部１６１が下方変位することで前記第４接触部１６１が前記ＦＰＣ８０の接点に接触するようにしたものである。
【００４７】
前記第４押受部１６４と前記弾性連結部１６５の形状・大きさは、このような作用（動き）を満足するように、適宜設計する。前記第４コンタクト１６は、挿入時には力が掛かるが、抜去時には力が掛からないものである。
【００４８】
図示はしないが、図４（Ａ）と同一形状で、かつ、ＺＩＦ構造の第３コンタクトがある。前記第３コンタクトも、前記コンタクト１４の延設部１４４を第３押 受部とし、前記連結部１４４を弾性連結部としたものである。前記第３押受部と前記弾性連結部は上述と同様である。前記第３コンタクトと前記第４コンタクト １６の形状を略倒Ｈ形状にしたものも同様である。コネクタとしては、上述した第３コンタクトと第４コンタクト１６のどちらか一方を含むものであってもよい し、第３コンタクトと第４コンタクト１６の両方を含むものであってもよい。また、第３コンタクトと第４コンタクト１６の第３接触部と第４接触部１６１の対向する側にも２つの目の接触部を設けてもよい。これらの第３コンタクトと第４コンタクト１６は、挿入時には力が掛かるが、抜去時には力が掛かるものであ る。
【００４９】
最後に、前記ＦＰＣ８０の挿入時には力が掛かるが、抜去時には力が掛からないコンタクトをＺＩＦ構造にし、かつ、前記ロック部材２０２、２２を Ｎｏｎ−ＺＩＦ構造にする場合の前記回動部材１８について、相違点のみを説明する。図８に示すように、前記回動部材１８の押圧部１８２を９０度変えること によって対応できる。９０度変えることにより、一方が作用するときはもう一方（９０度変えた方）は作用しないので、ＺＩＦ構造とＮｏｎ−ＺＩＦ構造が実現 できる。つまり、前記ＦＰＣ８０の挿入時（前記回動部材１８を閉じる時）には、前記押圧部１８２はそれぞれのコンタクト１４、１５、１６の押受部に作用 し、９０度変えた前記押圧部１８２は前記ロック部材２０２、２２の押受部２０６、２２６には作用しない。逆に、前記ＦＰＣ８０の抜去時（前記回動部材１８ を開く時）には、前記押圧部１８２はそれぞれのコンタクト１４、１５、１６の押受部に作用しないし、９０度変えた前記押圧部１８２は前記ロック部材 ２０２、２２の押受部２０６、２２６には作用する。
【産業上の利用可能性】
【００５０】
本発明の活用例としては、携帯電話やノートパソコンやデジタルカメラ等の電気機器や電子機器に使用されるコネクタ１０に活用され、特に、接続対象物を挿入するだけで、ワンタッチで安定した接続及び確実なロックができ、接続対象物の抜去時には簡単にロック部材のロックを解除できる構造に関するものである。
【符号の説明】
【００５１】
１０            コネクタ
１２            ハウジング
１２１          挿入孔
１２２          挿入溝
１２３          装着孔
１２４          天井部
１２５          切欠部
１４            コンタクト
１４１          接触部
１４２          固定部
１４３          接続部
１４４          延設部
１５            第２コンタクト
１５１          接触部
１５２          固定部
１５３          接続部
１５４          延設部
１５５          連結部
１６            第４コンタクト
１６１          第４接触部
１６２          第４固定部
１６３          第４接続部
１６４          第４押受部
１６５          弾性連結部
１８            回動部材
１８１          操作部
１８２          押圧部
１８３          係止孔
１８４          仕切壁
１８５          軸
１８６          ロック
２０            シェル
２０１          本体部
２０２          ロック部材
２０３          補強片
２０４          弾性連結部
２０５          係合部
２０６          押受部
２０７          保持部
２０８          軸受部
２２            ロック部材
２２３          補強片
２２４          弾性連結部
２２５          係合部
２２６          押受部
２２７          保持部
２２８          軸受部
３０            嵌合口
８０            ＦＰＣ（フレキシブルプリント基板）
８２            係止部
【図２】
2016171090.tif 000003
【図３】
2016171090.tif 000004
【図４】
2016171090.tif 000005
【図５】
2016171090.tif 000006
【図６】
2016171090.tif 000007
【図７】
2016171090.tif 000008
【図８】
2016171090.tif 000009
【図１】
2016171090.tif 000010